(57)【特許請求の範囲】
【請求項１】
ビデオ信号源からのアナログ出力用のビデオ信号の記録を制限するためのビデオ信号処理装置において、
コピー防止用バースト信号を発生する信号発生手段と、
上記コピー防止用バースト信号をビデオ信号のカラーバースト信号とすげ替える切替手段と
を有し、
上記コピー防止用バースト信号は、上記切替手段によって連続した複数ラインに配置され、上記コピー防止用バースト信号の位相ベクトルの上記複数ラインにおける平均値と、上記切替手段によって上記コピー防止用バースト信号とすげ替えられた正規のカラーバースト信号の位相ベクトルの上記複数ラインにおける平均値とが略等しくなるように、上記複数ラインの各ラインに配置されるコピー防止用バースト信号の位相を上記正規のカラーバースト信号の位相からずらして制御することを特徴とするビデオ信号処理装置。
【請求項２】
請求項１に記載のビデオ信号処理装置において、
上記位相制御は、直交する軸上の成分に基づきなされることを特徴とするビデオ信号処理装置。
【請求項３】
請求項１に記載のビデオ信号処理装置において、
正規のカラーバースト信号の位相に対する位相差分が最大になる上記コピー防止用バースト信号を、上記連続した複数ラインに対して規則的に配置することを特徴とするビデオ信号処理装置。
【請求項４】
請求項３に記載のビデオ信号処理装置において、
上記位相差分が最大になるコピー防止用バースト信号以外の上記コピー防止用バースト信号は、正規のカラーバースト信号の位相との位相差分がなるべく小さくなるようにしたことを特徴とするビデオ信号処理装置。
【請求項５】
請求項１に記載のビデオ信号処理装置において、
上記連続した複数ラインを規則的に配列した第１の領域と正規のカラーバースト信号を配列した第２の領域とを１画面上に配置したことを特徴とするビデオ信号処理装置。
【請求項６】
請求項５に記載のビデオ信号処理装置において、
上記第１の領域および上記第２の領域とは、フィールド間で異なる位置に配置することを特徴とするビデオ信号処理装置。
【請求項７】
請求項５に記載のビデオ信号処理装置において、
上記第１の領域および上記第２の領域とは、フィールド間で同一位置に配置することを特徴とするビデオ信号処理装置。
【請求項８】
請求項１に記載のビデオ信号処理装置において、
上記位相制御は、連続した複数ラインにおいて正規のカラーバースト信号のシーケンスと異なるシーケンスのカラーバースト信号を付加することによりなされることを特徴とするビデオ信号処理装置。
【請求項９】
請求項１に記載のビデオ信号処理装置において、
上記正規のカラーバースト信号の前部が上記コピー防止用バースト信号とすげ替えられることを特徴とするビデオ信号処理装置。
【請求項１０】
請求項１に記載のビデオ信号処理装置において、
上記正規のカラーバースト信号の前部および上記正規のカラーバースト信号期間の前部に隣接する期間を上記コピー防止用バースト信号とすげ替えることを特徴とするビデオ信号処理装置。
【請求項１１】
ビデオ信号源からのアナログ出力用のビデオ信号の記録を制限するためのビデオ信号処理方法において、
コピー防止用バースト信号を発生するステップと、
上記コピー防止用バースト信号をビデオ信号のカラーバースト信号とすげ替える切替のステップと
を有し、
上記コピー防止用バースト信号は、上記切替のステップによって連続した複数ラインに配置され、上記コピー防止用バースト信号の位相ベクトルの上記複数ラインにおける平均値と、上記切替のステップによって上記コピー防止用バースト信号とすげ替えられた正規のカラーバースト信号の位相ベクトルの上記複数ラインにおける平均値とが略等しくなるように、上記複数ラインの各ラインに配置されるコピー防止用バースト信号の位相を上記正規のカラーバースト信号の位相からずらして制御することを特徴とするビデオ信号処理方法。
【請求項１２】
請求項１１に記載のビデオ信号処理方法において、
上記位相制御は、直交する軸上の成分に基づきなされることを特徴とするビデオ信号処理方法。
【請求項１３】
請求項１１に記載のビデオ信号処理方法において、
正規のカラーバースト信号の位相に対する位相差分が最大になる上記コピー防止用信号を、上記連続した複数ラインに対して規則的に配置することを特徴とするビデオ信号処理方法。
【請求項１４】
請求項１３に記載のビデオ信号処理方法において、
上記位相差分が最大になるコピー防止用バースト信号以外の上記コピー防止用バースト信号は、正規のカラーバースト信号の位相との位相差分がなるべく小さくなるようにしたことを特徴とするビデオ信号処理方法。
【請求項１５】
請求項１１に記載のビデオ信号処理方法において、
上記連続した複数ラインを規則的に配列した第１の領域と正規のカラーバースト信号を配列した第２の領域とを１画面上に配置したことを特徴とするビデオ信号処理方法。
【請求項１６】
請求項１５に記載のビデオ信号処理方法において、
上記第１の領域および上記第２の領域とは、フィールド間で異なる位置に配置することを特徴とするビデオ信号処理方法。
【請求項１７】
請求項１５に記載のビデオ信号処理方法において、
上記第１の領域および上記第２の領域とは、フィールド間で同一位置に配置することを特徴とするビデオ信号処理方法。
【請求項１８】
請求項１１に記載のビデオ信号処理方法において、
上記位相制御は、連続した複数ラインにおいて正規のカラーバースト信号のシーケンスと異なるシーケンスのカラーバースト信号を付加することによりなされることを特徴とするビデオ信号処理方法。
【請求項１９】
請求項１１に記載のビデオ信号処理方法において、
上記正規のカラーバースト信号の前部が上記コピー防止用バースト信号とすげ替えられることを特徴とするビデオ信号処理方法。
【請求項２０】
請求項１１に記載のビデオ信号処理方法において、
上記正規のカラーバースト信号の前部および上記正規のカラーバースト信号期間の前部に隣接する期間を上記コピー防止用バースト信号とすげ替えることを特徴とするビデオ信号処理方法。
【発明の詳細な説明】
【０００１】
【発明の属する技術分野】
この発明は、ビデオディスク、ディジタルＶＣＲ、ディジタル放送の受信装置等の装置から出力されるアナログビデオ信号や、コンピュータ等のディジタル機器のアナログビデオ出力からのアナログビデオ信号を記録するビデオテープレコーダおよびその再生出力を表示するテレビジョン受像機に対して適用されるビデオ信号処理装置、ビデオ信号処理方法、並びに記録媒体に関する。
【０００２】
【従来の技術】
ディジタル技術の発達に伴い、家庭においても高画質のビデオ信号源を容易に入手できるようになりつつある。例えばプリレコーディッドテープ（ソフトテープ）のみならず、ディジタル放送の端末、ＤＶＤ（ディジタルビデオディスク）等は、高画質のビデオ信号をユーザに提供する。ディジタルＶＣＲ（ビデオカセットテープレコーダ）も家庭用として除々に浸透しつつあるが、現状では、アナログＶＣＲが格段に普及している。上述したような高画質のビデオ信号の提供者としては、著作権保護の立場から、アナログＶＣＲによるコピーの制限に対して多大な関心を払わざるを得ない。
【０００３】
既に、アナログＶＣＲに対しては、幾つかのコピー制限の方法が考えられている。例えば、マクロビジョン社によるＡＧＣパルス方式やカラーストライプ方式が知られている。ＡＧＣパルス方式は、コピー禁止の場合では、ビデオ信号におけるＡＧＣ基準レベル検出区間に、通常のＡＧＣ基準レベルより大きなレベルのパルスを挿入しコピーを制限するものである。すなわち、ビデオ信号のＶ（垂直）ブランキング期間の一部に疑似ＳＹＮＣパルスが挿入される。これは例えば、図２１Ａに示されるように、ビデオ信号のＶブランキング期間の一部に疑似同期パルスが挿入される。図２１Ｂは、この疑似同期パルスが挿入された部分を拡大して示す。この疑似同期パルスは、水平同期パルスにレベルｐを加えたレベルで例えば５波挿入される。また、このレベルｐは、変化させられ挿入される。
【０００４】
アナログＶＣＲ（家庭用アナログＶＣＲ）では、図２１Ｃに示す、Ｖブランキング期間における１Ｈの水平同期パルスを利用してＡＧＣをかけるようにされた機種が多数存在する。そのため、このように、水平同期パルスよりも振幅の大きい疑似同期パルスが１Ｈに挿入されると、ＡＧＣ回路がこの疑似同期パルスの振幅を基準レベルと判断してＡＧＣ動作を行う。その結果、再生信号のゲインがかなり小さくなるため、同期信号を振幅分離によって検出することができず、正常な再生が行えなくなる。一方、テレビジョンモニタは、ＡＧＣ方式がアナログＶＣＲと異なるので、再生画像を正常に表示することができる。
【０００５】
【発明が解決しようとする課題】
ところが、このＡＧＣパルス方式では、一部のビデオカセットレコーダに対して効果が無いという問題点があった。例えば、β方式のＶＣＲや８ｍｍＶＣＲ、およびＶＨＳ方式のＶＣＲにおいて、ＡＧＣ時定数が長いものなどには効果がなかった。
【０００６】
そこで、他のコピー制限の方法として、以下に説明するカラーストライプ方式が提案されている。このカラーストライプ方式とは、再生ビデオ信号に対して、例えば２１ライン毎に４ライン分、カラーバースト信号全体の位相を反転させる方法である。
【０００７】
テレビジョンモニタにおいては、色復調のためにＡＰＣ（自動位相制御回路）が用いられる。このＡＰＣは、周知のように、入力ビデオ信号（クロマ信号）からカラーバースト信号を抽出し、このカラーバースト信号に対して位相検波を行う。この検波出力がローパスフィルタなどで積分され、この積分出力に基づき、電圧制御発振器によって基準サブキャリアが生成される。この基準サブキャリアは、入力ビデオ信号の色復調のために用いられると共に、位相検波の際の基準信号としても用いられる。
【０００８】
このカラーストライプ方式のように、カラーバースト信号の位相を反転させられた再生ビデオ信号を別の家庭用アナログＶＣＲで録画すると、アナログＶＣＲのＡＰＣがこの位相の反転したカラーバースト信号を本来のカラーバースト信号として使用してしまうため、そのラインの色が反転され記録／再生されてしまう。したがって、この録画されたビデオ信号を再生すると、図２２に示すように、色の反転した帯が２１ライン毎に画面に映出される。
【０００９】
一方、一般的なテレビジョン受像機においては、色信号復調のための搬送波を形成するために用いられるＡＰＣの時定数が長いために周波数応答範囲が狭く、高々４ラインにおいて連続してカラーバースト信号が反転されても影響が出ない。しかしながら、機種によっては、時定数が短いため周波数応答範囲が広いＡＰＣを用いている場合もある。この場合には、色の反転した帯が画面に生じるという問題点があった。
【００１０】
さらに、本願出願人は、有効画面中の全ラインのカラーバースト信号において、その一部の期間の位相を反転させるようにしたコピー制限方法を提案している（特願平７−３０３４９４号参照）。この方法は、上述したカラーストライプ方式の場合では、表示画像の画質が劣化するようなテレビジョンモニタに対しても、そのような問題を生じない利点がある。
【００１１】
アナログ方式の家庭用ＶＣＲにおいては、３．５８ＭＨｚの周波数（ＮＴＳＣ方式の場合）を有する色副搬送波が低域変換され６００〜７００ＫＨｚの中の所定の中心周波数を有する低域変換色信号とされる。そして、この低域変換色信号と輝度信号とが周波数多重化され磁気テープ上に記録される。再生時には再生信号から低域変換色信号が周波数分離され、元の搬送波周波数の色信号に変換される。このような記録および再生時の信号処理とテープ，ヘッドを含む電磁変換系の特性によって、家庭用アナログＶＣＲにおいて色信号は、テレビジョン受像機などに比べ非常に狭く帯域制限される。
【００１２】
この帯域制限のために、再生カラーバースト信号は、記録前の原信号に比較して時間軸上でその前後に拡張される性質を有する。図２３は、原信号とＶＣＲによる再生後の信号におけるカラーバースト信号を示す。図２３Ａに示す、水平同期信号ｈの後に配されるカラーバースト信号の原信号ａが磁気テープに記録され再生されると、図２３Ｂに示すように、時間軸上においてカラーバースト信号ａが前後に拡張される。
【００１３】
この性質を利用してコピー防止を図るのが、先の提案に開示されている、カラーバースト信号の一部の位相を反転させる方式である。図２４は、この方式の適用例を示す。通常のラインにおいては、水平同期信号ｈの後ろに例えば１０波のカラーバースト信号が配される（図２４Ａ）。それに対して、コピー防止のための画像妨害を生じさせるために、位相が反転された６波のカラーバースト信号と７波の通常位相のカラーバースト信号との計１３波の、反転カラーバースト信号を含むカラーバースト信号がコピー防止用信号として配されたラインが設けられる（図２４Ｂ）。例えばの正規カラーバースト信号を含む１７ラインおよび反転カラーバースト信号を含む４ラインとの合計２１ラインが画面上で繰り返される（図２４Ｃ）。
【００１４】
このように、反転カラーバースト信号を含むラインが配されたビデオ信号は、例えばＶＣＲで再生された場合、ＶＣＲの色同期回路においてＡＰＣが追従できなくなり、画像の劣化を引き起こし、これによりコピーを防止することができる。勿論、このビデオ信号を別のＶＣＲにより記録／再生した場合にも正常な画像が得られない。また、この反転カラーバースト信号を含むビデオ信号は、テレビジョンモニタにおいては略正規のカラーバースト信号として検出され使用される。そのため、このビデオ信号は、テレビジョンモニタにおいては、略正常な画面として映出される。
【００１５】
しかしながら、先に提案された方式は、ＶＣＲの色信号の周波数帯域が狭いことを利用しているので、色信号の帯域が広い、例えばＳ−ＶＨＳといったアナログＶＣＲに対してはコピー防止効果が不十分であるといった問題点があった。
【００１６】
この対策として、コピー防止効果を増大させるために、反転カラーバースト信号の波数を増大させる方法が考えられる。例えば図２５に示されるように、１０波の反転カラーバースト信号と３波の正規のカラーバースト信号との計１３波でコピー防止用信号を形成することが考えられる。この方法では、色信号の帯域の広いＶＣＲでもコピー防止効果を生じさせることができるが、一部のテレビジョンモニタに対して、著しい画像妨害を与えてしまうという問題点があった。例えば、色の反転は生じないが、水平ライン方向において縞状に濃度の異なる妨害や、画面全体の色の濃さが変化するといった画像妨害が現れることがあった。
【００１７】
この問題を解決するために、先に本願発明人によって、上述の反転カラーバースト信号の波数を増大させたコピー防止用信号が配されたラインと、正規のカラーバースト信号の振幅を増大させた補正カラーバースト信号が配されたラインとが交互に配置されたマクロブロックで以てコピー防止用信号を形成する方法が提案されている（特願平８−７８３１６号参照）。
【００１８】
この方法によれば、正規の位相を有するカラーバースト信号による繰り返し周波数が上がり、テレビジョンモニタにおけるＡＰＣの周波数応答範囲外とされる。そのため、反転カラーバースト信号による画像妨害を画面に生じなくできる。さらに、正規のカラーバースト信号に対して振幅が増大された補正カラーバースト信号が配されているために、反転カラーバースト信号の配置による正規のカラーバースト信号の実質的な波数の減少が補われ、テレビジョンモニタにおける画像妨害の発生が抑えられる。また、ＶＣＲにおける再生信号に対しては、上述したような、反転カラーバースト信号の時間軸上での前後への拡張によって画像妨害を発生させることができる。
【００１９】
一方、周知のように、テレビジョンモニタにおいては、色信号のレベルを自動補正するためにＡＣＣ回路が用いられる。このＡＣＣ回路においては、検波回路にダイオード検波方式あるいは位相検波方式が用いられ、検波出力は、積分される。ＡＣＣ回路として、位相情報が検波出力に反映される位相検波方式が用いられる場合には、上述の方法によれば、反転カラーバースト信号が正規のカラーバースト信号に代えて配されているために、検波出力の積分値が反転カラーバースト信号により相殺され、カラーバースト信号のレベルが実質的に低下する。しかしながら、この低下したレベルは、補正カラーバースト信号によって補われるため、画像妨害とはならない。
【００２０】
ところが、ＡＣＣ回路として、例えばＡＣＣ回路に位相情報が検波出力に反映されないダイオード検波方式が用いられているような場合、反転カラーバースト信号が検波出力に対して大きな影響を与えず、逆に、補正カラーバースト信号による過補正がなされてしまい、このための画像妨害が生じてしまう。
【００２１】
また、このＡＣＣ回路の動作特性は、テレビジョンモニタによって異なり、反転カラーバースト信号や周波数の異なるカラーバースト信号などによって生じる妨害に対する補正量が一律に定まらない。そのため、この提案のようなコピー防止用信号が挿入されている信号がテレビジョンモニタに供給され、テレビジョンモニタにおいて固定値で以て妨害に対する補正が行われた場合、残留誤差が妨害となって検知されてしまう場合があるという問題点があった。
【００２２】
この問題を解決するために、先に本願発明人により、反転カラーバースト信号と補正カラーバースト信号とを１水平ライン上に配置し、且つ、補正カラーバースト信号の振幅を例えばユーザが自由に変更できるようにした方法が提案されている（特願平８−１１１３２２号参照）。この方法によれば、上述のような補正バーストによる過補正が生じた場合などに、補正カラーバースト信号の振幅を適切に設定してやることで、テレビジョンモニタに対する画像妨害を無くすことができる。
【００２３】
この方法では、ビデオ信号が１台のテレビジョンモニタに対して供給されるような場合には有効であるが、これが、複数のモニタに対して供給されるような場合には、必ずしも有効ではない。例えば、１つのビデオ出力に対して複数のテレビジョンモニタを接続するような場合、このような補正方法では、全てのモニタに対して適正な補正を行い妨害を完全に除去することが困難であるという問題点があった。
【００２４】
また例えば、親画面／子画面といったように、１台のテレビジョンモニタが複数の画面を有するような場合でも同様の問題が生じる。この場合には、子画面において親画面の画像を縮小して映出する必要があるため、１台のモニタにおいて、親画面および子画面のための信号処理を行う回路がそれぞれ別個設けられ、さらには使用される素子なども別の規格とされる例が多い。そのため、ＡＣＣ回路やＡＰＣの特性が親画面と子画面とで異なる場合が生じる。この場合、一方の画面において適切な設定を行った場合でも、親画面と子画面とを切り換えたような場合に、画像妨害が生じてしまう可能性があるという問題点があった。
【００２５】
従って、この発明の目的は、テレビジョンモニタによる表示に対して妨害が少なく、且つコピー防止効果を確実とすることが可能なビデオ信号処理装置、ビデオ信号処理方法、並びに記録媒体を提供することにある。
【００２６】
【課題を解決するための手段】
この発明は、上述した課題を解決するために、ビデオ信号源からのアナログ出力用のビデオ信号の記録を制限するためのビデオ信号処理装置において、コピー防止用バースト信号を発生する信号発生手段と、コピー防止用バースト信号をビデオ信号のカラーバースト信号とすげ替える切替手段とを有し、コピー防止用バースト信号は、切替手段によって連続した複数ラインに配置され、コピー防止用バースト信号の位相ベクトルの複数ラインにおける平均値と、切替手段によってコピー防止用バースト信号とすげ替えられた正規のカラーバースト信号の位相ベクトルの複数ラインにおける平均値とが略等しくなるように、複数ラインの各ラインに配置されるコピー防止用バースト信号の位相を正規のカラーバースト信号の位相からずらして制御することを特徴とするビデオ信号処理装置である。
【００２８】
また、この発明は、上述した課題を解決するために、ビデオ信号源からのアナログ出力用のビデオ信号の記録を制限するためのビデオ信号処理方法において、コピー防止用バースト信号を発生するステップと、コピー防止用バースト信号をビデオ信号のカラーバースト信号とすげ替える切替のステップとを有し、コピー防止用バースト信号は、切替のステップによって連続した複数ラインに配置され、コピー防止用バースト信号の位相ベクトルの複数ラインにおける平均値と、切替のステップによってコピー防止用バースト信号とすげ替えられた正規のカラーバースト信号の位相ベクトルの複数ラインにおける平均値とが略等しくなるように、複数ラインの各ラインに配置されるコピー防止用バースト信号の位相を正規のカラーバースト信号の位相からずらして制御することを特徴とするビデオ信号処理方法である。
【００３０】
上述したように、この発明によれば、コピー防止用信号の位相ベクトルの複数ラインにおける平均値と、切替のステップによってコピー防止用信号とすげ替えられた正規のカラーバースト信号の位相ベクトルの複数ラインにおける平均値とが略等しくなるように、コピー防止用信号の位相が制御されるため、このコピー防止用信号を含むビデオ信号をＶＣＲで再生した場合には、カラーストライプによる画像妨害を生じさせ、テレビジョンモニタに対しては画像妨害を生じさせないと共に、例えば複数のテレビジョンモニタにおいて、特性の異なるＡＣＣ回路のそれぞれに対して調整を行う必要が無い。
【００３１】
【発明の実施の形態】
以下、この発明の実施の一形態を、図面を参照しながら説明する。この発明の理解を容易とするために、コピー制限の適用例について図１を参照して説明する。図１Ａは、ディジタルＶＣＲ２で再生されたアナログビデオ信号をアナログＶＣＲ１により録画する例である。ディジタルＶＣＲ２により再生されるカセットテープが例えばプリレコーディッドテープであって、テープ中に記録されているコピー世代の制限に関する制御情報（ＣＧＭＳ(Copy Generation Management System) と称する）がコピー禁止を指示する場合では、アナログＶＣＲ１による録画を禁止する必要がある。
【００３２】
図１Ｂは、ＤＶＤプレーヤ３からの再生アナログビデオ信号をアナログＶＣＲ１により録画する例である。この場合でも、ＤＶＤに記録されているＣＧＭＳによりコピー禁止が指示される場合では、アナログＶＣＲ１による録画が禁止される必要がある。さらに、図１Ｃは、ディジタル放送を受信するためのＩＲＤ(Integrated Receiver Decoder) （あるいはセットトップボックス）４により受信したプログラムをディジタルＶＣＲ５により録画し、この記録した内容をアナログＶＣＲ１により録画する例である。一般的に、ディジタル放送のプログラムをディジタル信号あるいはアナログ信号としてディジタルＶＣＲ５が１回は記録することが許容されることが多い。しかしながら、その記録した内容をアナログＶＣＲ１によりコピーすることが制限される。勿論、ＩＲＤ４からアナログＶＣＲ１へのビデオ信号のコピーを禁止する場合もある。
【００３３】
この発明は、図１に例示したような場合に、アナログＶＣＲ１によるコピーを禁止し、且つディジタルＶＣＲ２、ＤＶＤプレーヤ３、ディジタルＶＣＲ５からのアナログビデオ信号をモニタ装置により支障なく表示することを可能とするものである。この発明は、これを、正規のカラーバースト信号の位相をベクトル分解することで得られた結果に基づく位相制御により修正されたカラーバースト信号によって成るコピー防止用信号が正規のカラーバースト信号に代えて配されたラインを、フィールド内に適当に配置することによって実現するもので、主に欧州などで採用されているＰＡＬあるいはＰＡＬｐｌｕｓ方式に用いて好適なものである。
【００３４】
一般的に、テレビジョンモニタには、輝度信号と色信号のレベル差を自動補正する、ＡＣＣ回路が用いられる。このＡＣＣ回路によってカラーバースト信号の大きさが検出され、カラーバースト信号のレベルが一定になるように増幅回路のゲインが制御される。これにより、画面上の色の濃さが自動的に一定とされる。
【００３５】
図２および図３に、このＡＣＣ回路の構成の代表的な例を示す。図２は、ダイオード検波方式によるＡＣＣ回路の例である。入力端１００から供給された映像信号が第１帯域増幅回路１０１によって増幅され第２帯域増幅回路に供給されると共に、バーストゲート（図示しない）によりカラーバースト信号を抽出されバースト増幅回路１０２に供給される。バースト増幅回路１０２で増幅されたカラーバースト信号は、バーストトランス１０３を介して色同期回路に供給されると共に、ＡＣＣ検波回路１０４に供給される。このカラーバースト信号は、コンデンサＣ1 およびダイオードＤ1 によってエンベロープ検波され、ＡＣＣ増幅回路１０５に供給される。第１帯域増幅回路１０１のバイアス電圧がこのＡＣＣ増幅回路１０５の出力によって制御される。これにより、カラーバースト信号のレベルに応じて第１帯域増幅回路の利得が制御される。
【００３６】
図３は、位相検波方式によるＡＣＣ回路の例である。図２と同様に、入力端１１０から供給された映像信号が第１帯域増幅回路１１１で増幅され、第２帯域増幅回路に供給されると共に、バーストゲート（図示しない）でカラーバースト信号を抽出される。抽出されたカラーバースト信号は、バースト増幅回路１１２に供給される。バースト増幅回路１１２で増幅されたカラーバースト信号は、バーストトランス１１３を介して、色同期回路に供給されると共にＡＣＣ検波回路１１４に供給される。
【００３７】
このＡＣＣ検波回路１１４は、位相検波回路であって、バーストトランスの出力の正側から負側に向けて順方向に接続された２つのダイオードＤ2 ，Ｄ1 の中点に、図示しないＡＰＣ回路によって、カラーバースト信号と同期するように形成された基準副搬送波が供給される。例えば欧州などで採用されているＰＡＬ方式においては、１ライン毎にカラーバースト信号の位相がＶ軸に対して反転させられているため、この基準副搬送波もこのカラーバースト信号に同期し、ライン毎にＶ軸に対して反転させられる。
【００３８】
バーストトランス１１３からこの検波回路１１４に供給されたカラーバースト信号は、この基準副搬送波と位相比較され、位相差に基づいたレベルの出力が図中のＰ点において得られる。図４は、このときの位相差と検波出力との関係の例を示す。このように、この検波出力は、カラーバースト信号と基準服搬送波の位相が一致するとき（位相差＝０°）最大となり、位相差が大きくなるに伴って正負対称に減少し、位相差が±１８０°のときに検波出力が最小となる。
【００３９】
この検波出力がＡＣＣ増幅回路１１５に供給される。この例では、ＡＣＣ増幅回路１１５のトランジスタＴｒ2 が第１帯域増幅回路１１１のトランジスタＴｒ1 のエミッタに直列接続されており、供給される検波出力に応じたこのトランジスタＴｒ2 の内部抵抗の変化に基づき、第１帯域増幅回路１１１の利得が制御される。
【００４０】
これら代表的な２種類のＡＣＣ回路のうち、図２に示されるダイオード検波方式において、ＡＣＣ検波回路１０４の出力は、カラーバースト信号の波数および振幅に依存し、位相に依らない。これに対して、図３に示される位相検波方式では、ＡＣＣ検波回路１１４の出力は、上述したようにカラーバースト信号の位相に依存し、基準副搬送波に対してカラーバースト信号の位相が反転していれば、検波出力が最小となる。
【００４１】
したがって、この位相検波方式においては、カラーバースト信号の一部の位相が反転した反転カラーバースト信号に対しては、カラーバースト信号のレベルが下がったと検出され、ＡＣＣゲインが増加される。このような場合、この位相検波方式が採用されているテレビジョンモニタでは、画面上において色が濃くなってしまう画像妨害が生ずる。
【００４２】
この発明においては、上述したように、正規のカラーバースト信号の位相をベクトル分解した結果に基づく位相制御により修正されたカラーバースト信号によって成るコピー防止用信号が、１水平ラインにおいて正規のカラーバースト信号に代えて配される。以下に、その原理を説明する。先ず、直交したＵＶ軸上で考える。図５は、ＰＡＬあるいはＰＡＬｐｌｕｓ方式における、第（ｎ＋０）ライン〜第（ｎ＋３）ラインの正規のカラーバースト信号の位相を示す。このように、これらの方式においては、ライン毎にカラーバースト信号の位相がＶ軸に対して反転させられている。
【００４３】
上述の図３に示した位相検波方式によるＡＣＣ回路において、ダイオードＤ1 およびＤ2 の中点に供給される基準副搬送波は、この図５に示される−Ｕ軸と一致した位相である。したがって、カラーバースト信号の位相のＶ軸に対する反転には影響されない。そのため、位相検波出力から見た場合、−Ｖ軸の位相を有する第（ｎ＋１）および第（ｎ＋３）ラインのカラーバースト信号と、＋Ｖ軸の位相を有する第（ｎ＋０）および第（ｎ＋２）ラインとは、等価になる。したがって、第（ｎ＋１）および第（ｎ＋３）ラインのカラーバースト信号のベクトルは、図６に示されるように、Ｖ軸における極性を反転させて（ｎ＋１）* ，（ｎ＋３）* として表すことができる。結局、これら４ラインの検波出力が積分され、加算されるので、同一方向の４つのベクトル（ｎ＋０），（ｎ＋１）* ，（ｎ＋２），（ｎ＋３）* がＡＣＣ検波出力として得られる。
【００４４】
一方、これらベクトル（ｎ＋０），（ｎ＋１）* ，（ｎ＋２），（ｎ＋３）* から成る第（ｎ＋０）〜第（ｎ＋３）ラインの加算された検波出力は、Ｕ軸およびＶ軸上に対して、図６に示されるベクトル（ａ＋ｃ* ）およびベクトル（ｂ＋ｄ）とに分解することができる。したがって、ベクトル（ｎ＋０），（ｎ＋１）* ，（ｎ＋２），（ｎ＋３）* を、これらベクトルａ，ｂ，ｃ* ，ｄのそれぞれに対して対応付けることができる。これらのベクトルは、それぞれ等価であると考えることができる。すなわち、この例では、ベクトルａがベクトル（ｎ＋０）と、また、ベクトルｂがベクトル（ｎ＋１）* とそれぞれ等価であると考えることができる。同様に、ベクトルｃ* がベクトル（ｎ＋２）と、また、ベクトルｄがベクトル（ｎ＋３）* とそれぞれ等価とされる。
【００４５】
図７は、上述のベクトル分解の考えから得られる、この発明の実施の一形態によるカラーバースト信号の位相制御方法の一例を示す。上述したように、位相検波出力においては、図５に示した第（ｎ＋０）〜第（ｎ＋３）ラインのカラーバースト信号は、図７に示されるベクトルａ，ｂ，ｃ，ｄとそれぞれ等価である。ここで、ベクトルａ，ｂ，ｄについては、正規のカラーバースト信号に対して４５°の位相差しか有していない。これに対して、ベクトルｃは、正規のカラーバースト信号である第（ｎ＋２）ラインのカラーバースト信号に対して１３５°の位相差を有する。この実施の一形態においては、正規のカラーバースト信号をａ，ｂ，ｃ，ｄのベクトルで表されるコピー防止用信号ですげ替え、正規のカラーバースト信号に対して大きい位相差を有するベクトルｃを用いて、ＶＣＲに対するコピー防止を達成するものである
【００４６】
正規のカラーバースト信号に対して上述の位相制御が行われると共に、必要に応じて振幅の制御も行われ、この実施の一形態によるカラーバースト信号の修正がなされる。なお、上述の位相制御は、正規のカラーバースト信号の位相に対して任意の位相差で以て行うことが可能であるが、実際の信号処理の容易さから、例えばＵ軸およびＶ軸といった、直交する軸上で行うことがより好ましい。
【００４７】
上述のように、これらベクトル（ｎ＋０）〜（ｎ＋３）の合成ベクトルと、ベクトルａ〜ｄの合成ベクトルとは、完全に一致する。そのため、位相検波方式を用いたＡＣＣ回路においても、検波出力をこの４ラインで以て積分すれば、ベクトル（ｎ＋０）〜（ｎ＋３）によるカラーバースト信号およびベクトルａ〜ｄによるカラーバースト信号とでは、出力結果に相違はない。すなわち、ベクトルａ〜ｄによる位相を有するカラーバースト信号は、位相検波方式によるＡＰＣの時定数が長いテレビジョンモニタに対しては画像妨害を生じさせずに、ＡＰＣの時定数が短いＶＣＲなどに対しては、ベクトルｃによって画像妨害を生じさせ、コピー防止効果を得ることができる。
【００４８】
なお、以下の表記では、ベクトルａによる位相を有するカラーバースト信号をカラーバースト信号ａと称し、ベクトルｂによる位相を有するカラーバースト信号をカラーバースト信号ｂと称する。また、ベクトルｃは、ベクトルａを反転させたものであるから、このベクトルｃによるカラーバースト信号をカラーバースト信号（−ａ）と称する。さらに、ベクトルｄは、ベクトルｂと等しいため、ベクトルｄによる位相を有するカラーバースト信号をカラーバースト信号ｂと称する。
【００４９】
このように位相および／または振幅が制御されたカラーバースト信号が１フィールドを構成するラインに適当に配置されることによって、修正カラーバースト信号が形成され、実際に画像妨害を生じさせる。図８は、この配置の例を示す。図８Ａは、上述の図７に示されたものと同等のものであり、この実施の一形態における修正カラーバースト信号の基本構成とされる。この基本構成においては、連続した第（ｎ＋０）〜第（ｎ＋３）ラインに対して、図８Ａに示されるようにカラーバースト信号ａ，カラーバースト信号ｂ，カラーバースト信号（−ａ），およびカラーバースト信号ｂがこの順序で配置され、修正カラーバースト信号の１ブロックが構成される。このように、カラーバースト信号ｂを、カラーバースト信号ａあるいはカラーバースト信号（−ａ）に対して１ラインおきに配置することによって、位相検波による検波出力の積分値を、正規の位相を有するカラーバースト信号の積分値と等しくすることできる。
【００５０】
図８Ｂは、図８Ａに示される４ライン構成を３回繰り返し、この１２ラインで修正カラーバースト信号の１ブロックを構成する例である。この配置では、主に、修正カラーバースト信号１ブロックにおいて４ラインおきに配置されるカラーバースト信号（−ａ）によってコピー防止効果が得られる。
【００５１】
図８Ｂに示される構成の場合、コピー防止の効果が４ライン周期で１ラインのカラーバースト信号（−ａ）でしか得られないので、余り大きな効果が望めない。図８Ｃは、同じ１２ライン中に３ラインのカラーバースト信号（−ａ）を配置する場合に、配列を工夫することによってコピー防止効果を高めるようにした例である。この例においては、１ラインおきにカラーバースト信号（−ａ）が配置される。また、信号（ｂ）は、図８Ａおよび図８Ｂに示されるような１ラインおきの配列を満たしている。したがって、この例においても、位相検波出力の積分値が正規の位相を有するカラーバースト信号のそれと等しいことはいうまでもない。
【００５２】
図９は、このコピー防止用信号による画面構成の一例を示す。この例においては、図８Ｃに示された配列による１２ライン構成の修正カラーバースト信号のブロックを、２８ラインおきに配置したものである。
【００５３】
勿論、これは一例であって、例えば１２ラインから構成される修正カラーバースト信号のブロックを２つ連続して配置するようにしてもよいし、２つの修正カラーバースト信号のブロックの間隔を変えてもよい。また、画面全体にこの修正カラーバースト信号のブロックを配置するようにしてもよい。さらに、この修正カラーバースト信号ブロックの配置は、連続したフィールドに対して成されるが、これはこの例に限らず、例えば１フィールドおきといったように、フィールドに対して不連続に配置することも可能である。さらにまた、フィールド毎にこのコピー防止用ブロックを配置する位置を変えるようにしてもよい。
【００５４】
図１０は、上述の図１Ｂの例のように、ＤＶＤプレーヤ３により再生されたアナログビデオ信号を出力する場合に対してこの発明の実施の一形態を適用した例を示す。ＭＰＥＧ等により圧縮符号化されたディジタル信号がＤＶＤ６から光ピックアップ７により読み取られる。光ピックアップ７の再生信号がプリアンプ、波形整形、復号回路８を介してエラー処理回路９に供給される。エラー処理回路９では、エラー訂正符号の復号がなされ、エラーが訂正される。エラー処理回路９の出力がディマルチプレクサ１０に供給される。ディマルチプレクサ１０は、再生信号からビデオデータ、オーディオデータ、制御用のディジタルデータをそれぞれ分離する。
【００５５】
ビデオデータは、ビデオデコーダ１１に供給される。ビデオデコーダ１１は、圧縮符号化のデコード、アナログビデオ信号への変換等の処理を行い、アナログビデオ信号を出力部１４に供給する。この出力部１４は、この発明が適用されたもので、その詳細については、後述する。出力端子１６には、出力部１４から修正カラーバースト信号が選択的に付加されたアナログビデオ信号が出力される。オーディオデータは、オーディオデコーダ１２において、圧縮符号化のデコード、アナログオーディオ信号への変換等の処理を受け、出力端子１７にアナログオーディオ信号が得られる。ディジタルデータデコーダ１３は、ＤＶＤ６に記録されている制御用ディジタルデータを分離し、復号する。この制御用ディジタルデータの中にＣＧＭＳが含まれており、このＣＧＭＳに基づいて、コピーコントロール信号が形成される。コピーコントロール信号が出力部１４に与えられる。この出力部１４は、ＤＶＤプレーヤ内部に設けられる。
【００５６】
図１１は、上述したような修正カラーバースト信号を形成可能な、出力部１４の構成の一例を示す。この構成においては、コピー防止効果をさらに高めるために、上述の修正カラーバースト信号ａ，ｂ，ｃ，ｄを配置する方法と併せて、ＡＧＣパルス方式も使用される。
【００５７】
ビデオデコーダ１１からの再生ビデオ信号は、例えばアナログコンポーネント信号として出力部１４に供給される。２１、２２、２３でそれぞれ示す入力端子に対して、輝度信号（同期信号を含む）Ｙ、色差信号Ｒ−Ｙ、Ｂ−Ｙがそれぞれ供給される。輝度信号Ｙが加算器２４を経て出力端子１６Ｙに取り出される。色差信号がカラーエンコーダ２５に供給され、カラーエンコーダ２５により直交２相変調された搬送色信号（カラーバースト信号を含む）が形成される。カラーエンコーダ２５からの搬送色信号がスイッチャ２６の一方の入力端子ａに供給される。スイッチャ２６は、カラーバースト信号のすげ替えのために設けられている。スイッチャ２６の出力が出力端子１６Ｃに取り出される。
【００５８】
スイッチャ２７の入力端子ｃには、信号発生器３１で生成されたカラーバースト信号ａが供給される。スイッチャ２７の入力端子ｄには、信号発生器３２で生成されたカラーバースト信号ｂが供給される。また、スイッチャ２７の入力端子ｅには、信号発生器３３で生成されたカラーバースト信号（−ａ）が供給される。このスイッチャ２７の出力がスイッチャ２６の入力端子ｂに対して供給される。
【００５９】
上述したように、スイッチャ２６の入力端子ｂに対して供給されるカラーバースト信号は、スイッチャ２７から出力される。スイッチャ２６は、タイミングコントローラ３５の出力により制御される。すなわち、コピーコントロール信号によってコピーの許可が指示される場合では、入力端子ａが常に選択され、カラーバースト信号のすげ替えがなされない。一方、コピーコントロール信号によってコピーの禁止が指示される場合では、カラーバースト信号の期間よりやや広い期間で入力端子ｂが選択され、カラーバースト信号のすげ替えがなされる。従って、出力端子１６Ｙ、１６Ｃに取り出されたビデオ信号をアナログＶＣＲによって録画した場合、正常な再生画像が得られず、実質的にコピーを禁止することができる。このようにコピーの許可／禁止に対応してスイッチャ２６の制御の態様が異なるので、タイミングコントローラ３５には、同期分離回路３４で分離された同期信号と入力端子３６からのコピーコントロール信号が供給される。
【００６０】
加算器２４では、ＡＧＣパルス発生器２８からのＡＧＣパルスが供給され、このＡＧＣパルスが輝度信号Ｙに対して付加される。ＡＧＣパルスとして、正規のレベルのものと、コピー禁止のための大レベルのものとの一方をＡＧＣパルス発生器２８が発生する。その選択は、データデコーダ１３（図１０参照）から入力端子３６に供給されるコピーコントロール信号によりなされる。ＡＧＣパルスを用いた場合では、記録時のＡＧＣ動作によって、記録されるビデオ信号自体が正常でなくなる。
【００６１】
なお、図示は省略するが、カラーバースト信号ａおよびカラーバースト信号（−ａ）は、振幅が等しく互いに位相の反転した信号であり、カラーバースト信号ｂは、カラーバースト信号ａに対して振幅が同じで９０°位相のずれた信号である。したがって、例えばこの出力部１４において信号発生器３１のみを設け、カラーバースト信号（−ａ）は、カラーバースト信号ａをインバータなどによって反転することによって得、カラーバースト信号ｂは、カラーバースト信号ａの位相を単に９０°ずらすことによって得るようにしてもよい。
【００６２】
次に、この発明の実施の他の形態を、図面を参照しながら説明する。図１２は、この実施の他の形態におけるカラーバースト信号の位相制御の一例を示す。この実施の他の形態では、図中に点線で示すように、正規のカラーバースト信号の位相を、９０°ずらすことによって、修正カラーバースト信号を形成する。さらに、ＶＣＲに対するコピー防止効果を高めるために、図に示されるように、第（ｎ＋０）ラインから第（ｎ＋５）ラインまでの連続６ラインにおいて、位相が９０°ずらされている。この連続６ラインを修正カラーバースト信号の１ブロックとして、上述の実施の一形態と同様にして画面に配置することで、コピー防止の効果が得られる。
【００６３】
この実施の他の形態による修正カラーバースト信号は、例えば連続する２〜６ラインが２０〜５０ラインの間隔を以て画面に配置されることによって効果的に画像妨害を生じさせ、コピー防止用効果を得ることができる。図１３Ａは、この実施の他の形態の修正カラーバースト信号による画面構成を、概略的に示す。例えば４ラインといった複数ラインの修正カラーバースト信号が配置される領域Ｐと、例えば３０ラインといった複数の正規のカラーバースト信号によるラインが配置される領域Ｓとがフィールド内で交互に配置される。
【００６４】
図１３Ｂは、領域Ｐにおける修正カラーバースト信号のライン数、および領域Ｓにおける正規のカラーバースト信号によるライン数の組み合わせの例を示す。Ｓｉｇｎａｌ−１〜Ｓｉｇｎａｌ−３は、４０ライン単位で修正カラーバースト信号が配置される例であり、Ｓｉｇｎａｌ−４〜Ｓｉｇｎａｌ−６は、３４ライン単位で修正カラーバースト信号が配置される例である。修正カラーバースト信号のライン数と正規のカラーバースト信号によるライン数の比率を変えることによって、テレビジョン受像機あるいはビデオテープレコーダに対する妨害の効果が変わる。
【００６５】
すなわち、領域Ｐに含まれる修正カラーバースト信号の本数が多い程ビデオテープレコーダに対する妨害がより顕著となるが、本来妨害が発生してはいけないはずの、テレビジョン受像機に対して妨害が発生してしまう可能性も孕んでいる。一方、領域Ｐに含まれる修正カラーバースト信号の本数が少ないと、テレビジョン受像機に対する妨害がより発生しにくくなるが、ビデオテープレコーダに対するコピー防止の効果も弱くなってしまう。したがって、この領域Ｐおよび領域Ｓに含まれる修正カラーバースト信号およびカラーバースト信号によるラインの本数は、状況により適当に決める必要がある。
【００６６】
この例のように、数ラインの修正カラーバースト信号と、この修正カラーバースト信号のライン数の５乃至１０倍程度のライン数の正規カラーバースト信号によるラインとを組み合わせることによって、より効果的にコピー防止を行うことができる。
【００６７】
これは、装置の仕様として予め固定的に設定するようにしてもよいし、装置を使用する際にユーザが例えば上述のＳｉｇｎａｌ−１〜Ｓｉｇｎａｌ−６の中から選択し、設定するようにしてもよい。ユーザが設定できるようにした場合、この機能をユーザが無効とできないようにする必要があることは、言うまでもない。また、この修正カラーバースト信号が含まれたビデオ信号を作成する際に、シーンに応じてこの領域Ｐと領域Ｓとの組み合わせを変えるようもできる。例えば、動きがあり画像妨害の目立たないシーンに対しては、より画像妨害を生じさせる組み合わせとし、動きが少なく平坦で画像妨害の目立ち易いシーンに対しては、より画像妨害の少ない組み合わせとする。こうすることによって、領域Ｐによる画像妨害を、ビデオテープレコーダに対しては生じさせ、テレビジョン受像機に対しては目立たなくさせることができる。さらに、上述のＳｉｇｎａｌ−１〜Ｓｉｇｎａｌ−６における領域Ｐおよび領域Ｓのライン数は、例であって、さらに他の組み合わせとすることもできる。
【００６８】
この方法によれば、位相を９０°しかずらさないため、正規のバースト信号の配列に対して、シーケンスを１ライン分ずらすだけでこの修正カラーバースト信号のブロックを形成することができる。したがって、コピー防止処理を施すあための処理および回路構成が簡単である。
【００６９】
図１４および図１５は、これら領域Ｐおよび領域Ｓのフィールド間での配置の例を示す。図１４は、領域Ｐの配置が開始される位置に対して、第１フィールドと第２フィールドとの間でオフセットを持たせた例である。このように、フィールド間で異なる位置に領域Ｐを配置することによって、表示の際にフリッカを生じさせることができる。この例では、第１フィールドにおける領域Ｓの中央部に対応した位置に、第２フィールドの領域Ｐが配置されるように、オフセットが設定されている。この場合には、実際の表示において、均等に領域Ｐが画面に対して配置されているように見え、そのため、恰も修正カラーバースト信号が実際に１フィールドに配置されているライン数の倍だけ配置されているように見えるため、より画像妨害の効果が高まる。
【００７０】
図１４のように領域Ｐを配置した場合、テレビジョン受像機によっては、表示にフリッカが現れてしまう、あるいは、フィールド毎の対称性が崩れるため、画面が不安定になるなどといった画像妨害が生じてしまう場合がある。このような場合には、図１５に示されるように、フィールド毎に同じ位置に領域Ｐを配置する。図１４のような配置に比べ、ビデオテープレコーダに対する画像妨害の効果は薄れるが、テレビジョン受像機における画像妨害を軽減することができる。
【００７１】
また、この領域Ｐのフィールド内における開始位置を変えることによる、テレビジョン受像機に対する効果の違いを利用して、テレビジョン受像機に対する画像妨害の程度を調整するようにもできる。
【００７２】
なお、ここでは、このような修正カラーバースト信号の配置がこの実施の他の形態に適用されるように説明したが、これはこの例に限られるものではない。すなわち、ここで示した領域Ｐおよび領域Ｓの配置は、上述した実施の一形態にも適用できるものである。
【００７３】
この実施の他の形態における修正カラーバースト信号は、上述の実施の一形態において図１１を参照して説明した出力部１４によって生成することができる。但し、この場合には、信号発生器３１，３２，３３のうち２つだけが必要とされる。また、この例に限らず、正規の位相を有するカラーバースト信号を生成し、１ラインディレイなどによって、生成されたカラーバースト信号を所定の期間だけ遅延させることによっても得ることができる。
【００７４】
なお、上述の実施の一形態および他の形態においては、正規のカラーバースト信号を完全にこれら実施の一形態および他の形態による修正カラーバースト信号にすげ替えるように説明したが、これはこの例に限定されるものではない。例えば、図１６に示されるように、正規のカラーバースト信号１０波に対して３波あるいは２．５波加え、前半の８波あるいは７．５波を、これら実施の一形態および他の形態の方法による修正カラーバースト信号とし、残りの５波を正規のカラーバースト信号と同位相，同振幅としてもよい。
【００７５】
なお、上述の実施の一形態および他の形態における修正カラーバースト信号と異なり、図１７に示されるように、カラーバースト信号の位相を完全に反転させてしまう方法も考えられる。しかしながら、この方法は、正規のカラーバースト信号には含まれない、Ｕ軸の正方向の成分が含まれてしまい、テレビジョンモニタのＡＣＣ回路に対する妨害を生じさせるため、好ましくない。また、同様の理由により、完全な反転でなくとも、Ｕ軸の正方向の成分が現れるように位相をずらすのは、好ましくない。
【００７６】
さらに、この発明は、コンポーネント信号の形式ではなく、輝度信号と搬送色信号とが重畳されたコンポジット信号の形式に対して、修正カラーバースト信号を付加しても良い。
【００７７】
コピーコントロール信号は、例えば、ＤＶＤ６に記録されるディジタルビデオ信号と付随して、予め記録されているＣＧＭＳに基づいて生成される。ＣＧＭＳの一例を図１８Ａに示す。この図１８Ａに示すように、ＣＧＭＳは、下記のように定義される。
００：コピー可能
０１：未使用
１０：コピー１世代可能
１１：コピー不可
【００７８】
このＣＧＭＳにおけるコピーがディジタルコピー制限のみを規定する場合では、アナログコピーの可否を示すフラグ、すなわち、アナログコピー制限信号発生を指示するトリガービットを別に規定しても良い。図１８Ｂは、その一例であって、トリガービットが`00'であれば、アナログコピー制限信号を発生しないことが指示され、このビットが`01'であれば、アナログコピー制限信号のうちＡＧＣパルス方式によるＡＧＣ信号のみを発生することが指示される。また、このビットが`11'であれば、ＡＧＣ信号とこの発明が適用された第１の修正カラーバースト信号とを発生することが指示される。ビット`10'は、未使用としてもよいが、図１８Ｂに示されるように、ＡＧＣ信号と共に、上述の第１の修正カラーバースト信号と配列の異なる第２の修正カラーバースト信号とを発生するようにすることが可能である。この場合では、ＣＧＭＳおよびトリガービットの合計４ビットによって、アナログコピーの制限情報が構成される。
【００７９】
なお、この例では、ＡＧＣパルス方式によるコピー制限信号の発生と、この発明が適用されたコピー制限信号の発生とが１つのトリガービットによって制御されるが、これはこの例に限定されるものではない。すなわち、上述の図１０に示されるデータデコーダ１３からそれぞれ対応するトリガービットを供給することによって、ＡＧＣパルス方式によるコピー制限信号の発生およびこの発明が適用されたコピー制限信号の発生とを、独立して制御するようにできる。
【００８０】
このようなＣＧＭＳを記録媒体に実際に記録する形態としては、種々のものが可能である。ディジタルＶＣＲの場合では、図１９および図２０に示すデータ構成が採用されている。図１９は、ＶＡＵＸ（ビデオ補助データ）の構成を示し、（０１１００００１）（６１ｈ）（ｈは１６進表示を表す）のパックヘッダを持つパックである。
【００８１】
このパックには、ＰＣ１の上位２ビットとして、ＣＧＭＳが記録される。このＣＧＭＳの定義は、例えば図１８Ａに示すものと同一である。また、ＰＣ１中のコピーソースが下記のように規定される。
００：アナログ入力によるコピー
０１：ディジタル入力によるコピー
１０：予備
１１：情報なし
【００８２】
ＰＣ１中のコピー世代の定義を下記に示す。
００：第１世代
０１：第２世代
１０：第３世代
１１：第４世代
【００８３】
図２０は、ディジタルＶＣＲにおけるオーディオ信号に関する補助データ（ＡＡＵＸデータ）の一例を示す。このパックのヘッダは、（０１０１０００１）（５１ｈ）である。このパックＰＣ１には、ＶＡＵＸと同様の構成で、ＣＧＭＳが記録される。なお、入力ビデオ信号に付随するＣＧＭＳが１世代コピー可能とされている場合に、この入力ビデオ信号を記録した場合には、テープ上のＣＧＭＳがコピー禁止へ書き換えられる。
【００８４】
この発明の一実施例におけるＤＶＤの場合は、図示しないが、記録データがセクタ等の区切りを有し、この区切りの先頭に同期信号およびヘッダが付加される。このヘッダ中にコピー制限のための情報を記録するようになされる。
【００８５】
【発明の効果】
以上説明したように、この発明によるコピー防止用信号は、正規のカラーバースト信号の位相をベクトル分解して得られた位相によるカラーバースト信号によって形成される。したがって、ＶＣＲに対するコピー防止効果を維持したまま、テレビジョンモニタに対する妨害を大幅に軽減できる効果がある。
【００８６】
また、この発明によるコピー防止用のカラーバースト信号は、ベクトル的に正規のカラーバースト信号と等価とされる。そのため、テレビジョンモニタのＡＣＣ回路においては、正規のカラーバースト信号が供給されたのと何ら変わるところがないため、テレビジョンモニタにおける妨害補正の調整が不要とされる。したがって、複数台のテレビジョンモニタの接続や、１台のテレビジョンモニタにおける親画面／子画面でＡＣＣ回路特性が異なるような場合でも、残留誤差が無くなり、再調整の必要も無いという効果がある。
【００８７】
さらに、この発明によるコピー防止用信号のカラーバースト信号は、カラーバースト信号の波形を、部分的に変える方式および全体の波形を変える方式の何方に対しても対応可能であるという効果がある。
【図面の簡単な説明】
【図１】この発明を適用できるビデオ信号記録システムの幾つかの例を示すブロック図である。
【図２】ＡＣＣ回路の構成の代表的な例を示す回路図である。
【図３】ＡＣＣ回路の構成の代表的な例を示す回路図である。
【図４】カラーバースト信号の位相と検波出力との関係の例を示す略線図である。
【図５】ＰＡＬあるいはＰＡＬｐｌｕｓ方式における、第（ｎ＋０）ライン〜第（ｎ＋３）ラインのカラーバースト信号の位相を示す略線図である。
【図６】位相検波方式によるカラーバースト信号の検波出力の等価ベクトルを示す略線図である。
【図７】この発明の実施の一形態によるカラーバースト信号の位相制御方法の一例を示す略線図である。
【図８】実施の一形態における修正カラーバースト信号の配置の一例を示す略線図である。
【図９】修正カラーバースト信号の画面上の配置の一例を示す略線図である。
【図１０】ＤＶＤプレーヤの再生部の構成の一例を示すブロック図である。
【図１１】この発明が適用された出力部の構成の一例を示すブロック図である。
【図１２】この発明の実施の他の形態におけるカラーバースト信号の位相制御の一例を示す略線図である。
【図１３】実施の他の形態の修正カラーバースト信号による画面構成の例を示す略線図である。
【図１４】実施の他の形態の修正カラーバースト信号による画面構成の例を示す略線図である。
【図１５】実施の他の形態の修正カラーバースト信号による画面構成の例を示す略線図である。
【図１６】この発明によるカラーバースト信号の波形の一例を示す略線図である。
【図１７】カラーバースト信号の位相制御の好ましくない例を示す略線図である。
【図１８】ＣＧＭＳの一例およびコピー制御用信号の発生を指示するトリガービットの説明に用いる略線図である。
【図１９】ディジタルＶＣＲにおいて採用されているＣＧＭＳの記録方法の一例の説明に用いる略線図である。
【図２０】ディジタルＶＣＲにおいて採用されているＣＧＭＳの記録方法の一例の説明に用いる略線図である。
【図２１】ＡＧＣパルス方式を説明するための波形図である。再生後においてコピー防止用信号の幅が増えたことを示す波形図である。
【図２２】カラーストライプ方式を説明するための略線図である。
【図２３】現信号と再生後の信号におけるカラーバースト信号をそれぞれ示す波形図である。
【図２４】先に提案されているコピー防止用信号の例を示す略線図である。
【図２５】先に提案されているコピー防止用信号の例を示す波形図である。
【符号の説明】
３・・・ＤＶＤプレーヤ、６・・・ＤＶＤ、１４・・・再生アナログビデオ信号を出力するための出力部、１６，１６Ｙ，１６Ｃ・・・出力端子、２４・・・加算器、２６，２７・・・スイッチャ、３１・・・カラーバースト信号ａを生成するための信号発生器、３２・・・カラーバースト信号ｂを生成するための信号発生器、３３・・・カラーバースト信号（−ａ）を生成するための信号発生器
【図１】
0003694981.tif 000002
【図２】
0003694981.tif 000003
【図３】
0003694981.tif 000004
【図４】
0003694981.tif 000005
【図５】
0003694981.tif 000006
【図６】
0003694981.tif 000007
【図７】
0003694981.tif 000008
【図８】
0003694981.tif 000009
【図９】
0003694981.tif 000010
【図１０】
0003694981.tif 000011
【図１１】
0003694981.tif 000012
【図１２】
0003694981.tif 000013
【図１３】
0003694981.tif 000014
【図１４】
0003694981.tif 000015
【図１５】
0003694981.tif 000016
【図１６】
0003694981.tif 000017
【図１７】
0003694981.tif 000018
【図１８】
0003694981.tif 000019
【図１９】
0003694981.tif 000020
【図２０】
0003694981.tif 000021
【図２１】
0003694981.tif 000022
【図２２】
0003694981.tif 000023
【図２３】
0003694981.tif 000024
【図２４】
0003694981.tif 000025
【図２５】
0003694981.tif 000026